(57)【要約】　　　（修正有）【課題】狭いスペースであっても気密性を十分確保することができる新規なマンホール蓋の施錠構造を提供する。【解決手段】マンホール蓋本体３に形成されたマンホール蓋本体３が支持された受枠２の内周面の一部が露出してなる複数のバール挿入用開口３ｂ，３ｃと、上記バール挿通用開口３ｂ，３ｃを閉塞する閉塞蓋５を有し、該閉塞蓋５を下方に押圧することにより左右の支軸７ｃ，７ｄを中心に回動する施錠部材８と、上記マンホール蓋本体３の裏面にそれぞれ形成され、上記施錠部材８の左右の支軸７ｃ，７ｄが回動自在に挿入される軸挿入部３ｈ，３ｋが形成された左右の支持部３ｆ，３ｇと、上記閉塞蓋５により上記バール挿入用開口３ｂ，３ｃが閉塞される方向に該施錠部材８を付勢する一方及び他方の閉塞用弾性部材１０，１１と、上記施錠部材８を上方に付勢する一方及び他方の上方付勢用弾性部材１２，１３と、を備えてなる。【選択図】　　　　図６
2004011247.tif 000002
【特許請求の範囲】
【請求項１】
マンホール蓋本体と、このマンホール蓋本体に形成された開口を閉塞する小径マンホール蓋とを備えてなるマンホール蓋の施錠構造において、
上記マンホール蓋本体に形成された上記開口を囲んでなる円筒状の枠部と、
上記マンホール蓋本体に形成され該マンホール蓋本体が支持された受枠の内周面の一部が露出してなる複数のバール挿入用開口と、
上記枠部の外側にそれぞれ配設され、上記バール挿通用開口を閉塞する閉塞蓋を有し、該閉塞蓋を下方に押圧することにより左右の支軸を中心に回動する施錠部材と、
上記マンホール蓋本体の裏面にそれぞれ形成され、上記施錠部材に形成された左右の支軸が回動自在に挿入されるとともに上下方向に長さを有する軸挿入部が形成された左右の支持部と、
上記施錠部材を構成する閉塞蓋により上記バール挿入用開口が閉塞される方向に該施錠部材を付勢する一方及び他方の閉塞用弾性部材と、
上記施錠部材を上方に付勢する一方及び他方の上方付勢用弾性部材と、
を備えてなることを特徴とするマンホール蓋の施錠構造。
【請求項２】
前記一方及び他方の閉塞用弾性部材並びに前記一方及び他方の上方付勢用弾性部材とは、前記枠部の外側に配設されてなることを特徴とする請求項１記載のマンホール蓋の施錠構造。
【請求項３】
前記一方及び他方の閉塞用弾性部材は、前記左右の支軸が挿通される巻回部が構成要素とされてなり、前記一方及び他方の上方付勢用弾性部材は、前記左右の支持部のそれぞれに形成された凸部が挿通される巻回部が構成要素とされてなることを特徴とする請求項１又は２記載のマンホール蓋の施錠構造。
【発明の詳細な説明】
【０００１】
【発明が属する技術分野】
本発明は、マンホールの受枠に支持されるマンホール蓋の施錠構造に関するものである。
【０００２】
【従来の技術】
従来、マンホール蓋は、マンホール内の圧力により開放されることを防止し、また、関係者以外により不用意に開放されることを防止するために、施錠構造を備えているものが多い。こうした施錠構造は、従来様々な構造が提案され実施されているが、中でも、バールの先端により下方に押圧されることにより回動する施錠部材を構成要素とし、この施錠部材の回動操作により施錠状態を解除する構造が多い。この施錠部材を用いたマンホール蓋の施錠構造は、例えば、図７に示すように、マンホール蓋１００に、図示しないバールの先端側が挿入できる程度の（バール用）開口１００ａが設けられている一方、該マンホール蓋１００の下面側には、一端に上記開口１００ａを閉塞する閉塞蓋１０１が設けられ、マンホール蓋１００の下面側において回動可能に支持された施錠部材１０２が配設されたものである。この施錠部材１０２は、上記マンホール蓋１００が支持される受枠１０３の内周に形成された一方の係合部１０３ａに下側から係合する他方の係合部１０２ａが形成されてなるものである。また、上記施錠部材１０２は、左右に支軸１０２ｂが形成されてなるとともに、この支軸１０２ｂが挿通される閉塞用弾性部材１０４により、上記閉塞蓋１０２が常時上記開口１００ａを閉塞する方向に付勢されている。また、上記施錠部材１０２を構成する上記支軸１０２ｂは、上記マンホール蓋１００の裏面から垂下してなる左右の支持片１０５の内側に形成され、上下方向に長さを有する図示しない凹部内に挿入されている。また、上記マンホール蓋１００の裏面には、上記施錠部材１０２を上方に付勢する上方付勢用弾性部材１０６が配設されている。この上方付勢用弾性部材１０６は、全体形状が略コ字状に成形されてなるものであり、それぞれ平行に並んで形成された先端側は、上記左右の支軸に当接され、基端側は、押さえ部材１０７により固定されている。
【０００３】
そして、上述したマンホール蓋の施錠構造によれば、上記閉塞用弾性部材１０４の弾性力により、上記施錠部材１０２は、図７中、時計回り方向に付勢され、上記閉塞蓋１０１により開口１００ａは閉塞されるとともに、該施錠部材１０２全体が上方に付勢される。この状態において、マンホール内の圧力が上昇した場合であっても、上記受枠１０３に形成された一方の係合部１０３ａと上記施錠部材１０２に形成された他方の係合部１０２ａとは互いに係合することから、マンホール蓋１００が開放されることが防止されるとともに、十分な気密性を有した状態で上記開口１００ａを閉塞することが可能となる。そして、この状態において、上方から図示しないバールの先端により、上記閉塞蓋１０１を下方に押圧すると、上記施錠部材１０２は、上記上方付勢用弾性部材１０６の弾性力に抗して全体が下方に移動し、該施錠部材１０２を構成する左右の支軸１０２ｂが挿入されている図示しない凹部の最下端まで移動すると、該施錠部材１０２は、上記左右の支軸１０２ｂを中心に、図７中、反時計回り方向に回動し、それまで一方の係合部１０３ａと互いに係合する位置関係にあった他方の係合部１０２ａは、反時計回り方向に移動する。したがって、この状態においては、マンホール蓋１００を上方に開放することが可能となる。
【０００４】
【発明が解決しようとする課題】
ところで、マンホールの中には、上記マンホール蓋１００に円形状の開口が形成され、この円形状の開口を閉塞する小径マンホールが開閉可能に配設されているタイプのマンホール蓋が存在する。しかしながら、こうしたタイプのマンホール蓋においては、上記施錠部材１０２やその他の部品を配設するスペースが十分にないことから、上述した従来のマンホール蓋の施錠構造をそのまま適用することができない。
【０００５】
そこで、本発明は、上述した従来のマンホール蓋の施錠構造が有する課題を解決するために提案されたものであって、狭いスペースであっても上記従来の機能を損なうことなく気密性を十分確保することができる新規なマンホール蓋の施錠構造を提供することを目的とするものである。
【０００６】
【課題を解決するための手段】
本発明は上記の課題を解決するために提案されたものであって、第１の発明（請求項１記載の発明）は、マンホール蓋本体と、このマンホール蓋本体に形成された開口を閉塞する小径マンホール蓋とを備えてなるマンホール蓋の施錠構造において、上記マンホール蓋本体に形成された上記開口を囲んでなる円筒状の枠部と、上記マンホール蓋本体に形成され該マンホール蓋本体が支持された受枠の内周面の一部が露出してなる複数のバール挿入用開口と、上記枠部の外側にそれぞれ配設され、上記バール挿通用開口を閉塞する閉塞蓋を有し、該閉塞蓋を下方に押圧することにより左右の支軸を中心に回動する施錠部材と、上記マンホール蓋本体の裏面にそれぞれ形成され、上記施錠部材に形成された左右の支軸が回動自在に挿入されるとともに上下方向に長さを有する軸挿入部が形成された左右の支持部と、上記施錠部材を構成する閉塞蓋により上記バール挿入用開口が閉塞される方向に該施錠部材を付勢する一方及び他方の閉塞用弾性部材と、上記施錠部材を上方に付勢する一方及び他方の上方付勢用弾性部材と、を備えてなることを特徴とするものである。
【０００７】
この第１の発明によれば、小径マンホール蓋により閉塞される開口を囲む枠部の外側に、施錠部材などが配設されていることから、従来の機能を何らそこなわれることなく、且つ、バール挿通用開口の気密性を十分確保することができる。
【０００８】
また、第２の発明（請求項２記載の発明）は、上記第１の発明において、前記一方及び他方の閉塞用弾性部材並びに前記一方及び他方の上方付勢用弾性部材とは、前記枠部の外側に配設されてなることを特徴とするものであり、また、第３の発明（請求項３記載の発明）は、上記第１又は第２の発明において、前記一方及び他方の閉塞用弾性部材は、前記左右の支軸が挿通される巻回部が構成要素とされてなり、前記一方及び他方の上方付勢用弾性部材は、前記左右の支持部のそれぞれに形成された凸部が挿通される巻回部が構成要素とされてなることを特徴とするものである。
【０００９】
上記第２の発明では、前記一方及び他方の閉塞用弾性部材並びに前記一方及び他方の上方付勢用弾性部材とは、前記枠部の外側に配設されてなることから、マンホール蓋の移動や施工作業中に、各弾性部材が破損してしまう危険性を有効に解消することができるとともに、第３の発明では、前記一方及び他方の閉塞用弾性部材は、前記左右の支軸が挿通される巻回部が構成要素とされてなり、前記一方及び他方の上方付勢用弾性部材は、前記左右の支持部のそれぞれに形成された凸部が挿通される巻回部が構成要素とされてなることから、より一層各弾性部材を保護することができる。
【００１０】
【発明の実施の形態】
以下、本発明の一実施の形態に係るマンホール蓋の施錠構造について、図面を参照しながら詳細に説明する。
【００１１】
このマンホール蓋の施錠構造を構成するマンホール蓋１は、図１に示すように、受枠２に形成された円形状の開口２ａを閉塞するマンホール蓋本体３と、このマンホール蓋本体３の中心よりもやや偏心した位置に形成された円形状開口３ａを閉塞する小径マンホール蓋４とから構成されてなるものであり、上記マンホール蓋本体３の周端には、図示しないバールの先端側が挿入される一方のバール挿入用開口３ｂと、この一方のバール挿入用開口３ｂから、約９０度離れた位置に形成され同じようにバールの先端側が挿入される他方のバール挿入用開口３ｃが形成されている。また、図１中、矢印Ａとして示す位置の下方には、図示しない蝶番が配設されており、このマンホール蓋１は、上記一方及び他方のバール挿入用開口３ｂ，３ｃ内に挿入される２つのバールを使用しながら、上記蝶番を介して該マンホール蓋１を上方に回動させることにより受枠２に形成された開口２ａを開放するものである。そして、上記一方のバール挿入用開口３ｂと他方のバール挿入用開口３ｃの下方は、それぞれ以下に説明するマンホール蓋の施錠構造となされている。そこで、以下、上記一方のバール挿入用開口３ｂの設けられているマンホール蓋の施錠構造について詳細に説明する。
【００１２】
図２は、上記マンホール蓋本体３の底面図であり、該マンホール蓋本体３の裏面外周には、円筒状の外側枠部３ｄが形成され、この外側枠部３ｄの内側には、上記円形状開口３ａを囲む円筒状の内側枠部３ｅが形成されている。この内側枠部３ｅは、本発明を構成する枠部である。そして、上記マンホール蓋本体３の裏面であって、上記外側枠部３ｄと内側枠部３ｅとの間で、且つ、上記一方のバール挿入用開口３ｂの形成位置よりもやや該マンホール蓋１の中心側の左側には、一方の支持部３ｆが垂下してなり、この一方の支持部３ｆに対向した位置には、他方の支持部３ｇが垂下している。なお、これら一方及び他方の支持部３ｆ，３ｇは、それぞれ上記内側枠部３ｅとの連続してなり、上記マンホール蓋本体３と一体成形されている。
【００１３】
そして、図２乃至図４に示すように、上記一方の支持部３ｆの内側であって上記一方のバール挿入用開口３ｂに近い位置には、一方の凹部３ｈが形成され、この一方の凹部３ｈの形成位置よりもやや下方であって上記内側枠部３ｅ側には、一方の円形状凸部３ｉが形成されている。また、上記一方の支持部３ｆの内側であって、上記一方の円形状凸部３ｉよりも下方には、一方の左側係止部３ｊが形成されている。また、上記他方の支持部３ｇの内側には、図２に示すように、上記一方の凹部３ｈに対向する位置に、他方の凹部３ｋが形成され、上記一方の円形状凸部３ｉに対向する位置には、他方の円形状凸部３ｌが形成され、上記一方の左側係止部３ｊに対向する位置には、一方の右側係止部３ｍが形成されている。なお、図４に示すように、上記受枠２は、円筒状に成形された円筒部２ｂと、この円筒部２ｂの下端に形成されたフランジ部２ｃとから構成され、上記円筒部２ｂの内周であって、上記一方のバール挿入用開口３ｂの形成位置と、他方のバール挿入用開口３ｃの形成位置には、それぞれ一方の係合部２ｄが形成されており、この一方の係合部２ｄは、後述する施錠部材に形成された他方の係合部が下側から係合する部位である。また、上記一方の凹部３ｈ（と他方の凹部３ｋ）は、図４に示すように、上下方向に長さを有するものであり、本実施の形態に係るマンホール蓋の施錠構造においては、後述する施錠部材が、後述するように、これらの凹部３ｈ，３ｋにガイドされながら上下動するように構成されている。
【００１４】
そして、上記一方の支持部３ｆと他方の支持部３ｇとの間には、本発明を構成する施錠部材８が回動可能に配設されている。この施錠部材８は、図３又は図５に示すように、上記一方のバール挿入用開口３ｂを下側から閉塞し、該バール挿入用開口３ｂの形状に対応した形状に成形された閉塞蓋５と、この閉塞蓋５に対して軸（ボルト）６を中心に回動可能に接続された施錠部材本体７とから構成されている。上記閉塞蓋５は、下面に垂下片５ａを備え、この垂下片５ａの中心には、上記軸（ボルト）６が挿通される図示しない貫通孔が形成されている。また、上記施錠部材本体７は、上記垂下片５ａが間に挿通され互いに対向してなる支持突片７ａ，７ｂと、これらの支持突片７ａ，７ｂの基端側から左側（一方の支持部３ｆ側）に突出してなる左支軸７ｃと、右側に突出してなる右支軸７ｄとを備えている。なお、上記垂下片５ａには、図５に示すように、当接片５ｂが形成され、上記各支持突片７ａ，７ｂ間には、上記当接片５ｂの先端が当接し、上記閉塞蓋５の回動範囲を規制する当接部７ｅが形成されている。また、上記施錠部材本体７の下端側は、やや湾曲してなり先端には、上記受枠２の内周に形成された一方の係合部２ｄと下側から係合する他方の係合部７ｆが形成されている。また、この施錠部材本体７の左側側面には、他方の左側係止部７ｇ（図５参照）が形成され、右側側面には、図３に示すように、他方の右側係止部７ｈが形成されている。
【００１５】
そして、このように構成された上記施錠部材８は、上記施錠部材本体７に形成された左支軸７ｃが、上記一方の支持部３ｆに形成された一方の凹部３ｈに挿入され、右支軸７ｄは、上記他方の凹部３ｋ内に挿入されてなるとともに、上記左支軸７ｃには、一方の閉塞用弾性部材１０が装着され、右支軸７ｄには、他方の閉塞用弾性部材１１が装着され、さらに、該施錠部材８は、前記一方の円形凸部３ｉに装着された一方の上方付勢用弾性部材１２と、他方の円形凸部３ｌに装着された他方の上方付勢用弾性部材１３により、上方に付勢された状態で配設されている。上記一方及び他方の閉塞用弾性部材１０，１１並びに一方及び他方の上方付勢用弾性部材１２，１３は、何れも上記左支軸７ｃ又は右支軸７ｄ若しくは一方又は他方の円形凸部３ｉ，３ｌが挿通される巻回部１０ａ，１１ａ，１２ａ，１３ａと、この巻回部１０ａ，１１ａ，１２ａ，１３ａから一方側に突出した一方の突出部１０ｂ，１１ｂ，１２ｂ，１３ｂと、他方側に突出した他方の突出部１０ｃ，１１ｃ，１２ｃ，１３ｃとから構成されるトーションバネからなるものであり、上記一方の閉塞用弾性部材１０を構成する一方の突出部１０ｂは、図５に示すように、上記施錠部材本体７の左側面に形成された他方の左側係止部７ｇに係止され、上記他方の突出部１０ｃは、前記内側枠部３ｅの外側壁に当接されている。また、他方の閉塞用弾性部材１１を構成する一方の突出部１１ｂは、上記施錠部材本体７の右側面に形成された他方の右側係止部７ｈに係止され、上記他方の突出部１１ｃは、前記内側枠部３ｅの外側壁に当接されている。また、上記一方の上方付勢用弾性部材１２を構成する一方の突出部１２ｂは、図５に示すように、前記一方の支持部３ｆに形成された一方の左側係止部３ｊに係止され、他方の突出部１２ｃは、施錠部材本体７に形成された左支軸７ｃの基端側に係止されている。また、他方の上方付勢用弾性部材１３を構成する一方の突出部１３ｂは、前記他方の支持部３ｇに形成された一方の右側係止部３ｍに係止され、他方の突出部１３ｃは、施錠部材本体７に形成された右支軸７ｄの基端側に係止されている。
【００１６】
したがって、上述したマンホール蓋の施錠構造によれば、平常時においては、図５に示すように、上記施錠部材８は、上記一方及び他方の閉塞用弾性部材１０，１１の弾性力により、図５中、時計回り方向に回転するよう付勢されてなるとともに、一方及び他方の上方付勢用弾性部材１２，１３の弾性力により、上方に付勢され、この結果、該施錠部材８を構成する閉塞蓋５により、マンホール蓋本体３に形成された一方（及び他方）のバール挿入用開口３ｂ（３ｃ）は、下側から閉塞される。このとき、上記閉塞蓋５は、上記一方（及び他方）のバール挿入用開口３ｂ（３ｃ）の形状に対応していることから、マンホール内に多量の雨水などによる高い圧力がマンホール蓋本体３に作用した場合であっても、上記一方（及び他方）のバール挿入用開口３ｂ（３ｃ）から噴出することがないばかりではなく、該マンホール蓋本体３は、上記受枠２に形成された一方の係合部２ｄと、施錠部材８を構成する施錠部材本体７の先端に形成された他方の係合部７ｆとが互いに係合することから、マンホール蓋１全体が外れ脱落してしまうことを有効に防止することができる。
【００１７】
そして、こうした状態において、図示しないバールの先端により、上記一方及び他方の上方付勢用弾性部材１２，１３の弾性力に抗して、上記閉塞蓋５を下方に押圧すると、上記施錠装置４全体は、上記一方及び他方の凹部３ｈ，３ｋに沿ってやや下方に移動する。このとき、上記閉塞蓋５は、施錠部材本体７とは軸（ボルト）６を介して回動自在に連結されてなるので、施錠部材本体７の下方への移動に伴い、該閉塞蓋５は、受枠２の内周面に摺接されながら、図５中、やや時計回り方向に回転させられ、施錠部材本体７の下方への移動が停止した時点から、該施錠部材本体７が図５中、反時計回り方向に回転させられ、最終的には、図６に示す状態とさせられる。すなわち、施錠部材８を構成する閉塞蓋５は、施錠部材本体７との関係においてさらに時計回り方向に回転させられ、施錠部材本体７は、反時計回り方向に回転させられ、こうした動作により、それまで、一方の係合部２ｄの下側に位置していた他方の係合部７ｆは、マンホール蓋本体３の中心方向に逃がされる。したがって、この状態において、前記一方及び他方のバール挿入用開口３ｂ，３ｃ内に挿入された図示しない２つのバールにより、マンホール蓋本体３を上方に持ち上げることにより、該マンホール蓋本体３は、上記一方の係合部２ｄに他方の係合部７ｆが係合することなく、マンホールを解放することができる。
【００１８】
特に、上述したマンホール蓋の施錠構造では、上記一方及び他方の閉塞用弾性部材１０，１１並びに一方及び他方の上方付勢用弾性部材１２，１３は、マンホール蓋本体３の裏面に形成された内側枠部３ｅと外側枠部３ｄとの間に配設されるようトーションバネからなることから、狭い空間においても従来のマンホール蓋の機能を損なうことがなく、確実に気密状態を確保することができる。また、上記一方及び他方の閉塞用弾性部材１０，１１並びに一方及び他方の上方付勢用弾性部材１２，１３は、マンホール蓋本体３の裏面に形成された内側枠部３ｅと外側枠部３ｄとの間に配設されていることから、他のマンホール蓋１と衝突した場合であっても破損することを防止することができ、さらに、該一方及び他方の閉塞用弾性部材１０，１１並びに一方及び他方の上方付勢用弾性部材１２，１３を構成する巻回部１０ａ，１１ａ，１２ａ，１３ａは、左支軸７ｃや右支軸７ｄ或いは一方又は他方の円形凸部３ｉ，３ｌが挿通されていることから、より一層破損する危険性を防止することができる。
【００１９】
【発明の効果】
前述した本発明の一実施の形態の説明からも明らかなように、本発明（請求項１記載の発明）によれば、小径マンホール蓋により閉塞される開口を囲む枠部の外側に、施錠部材などが配設されていることから、従来の機能を何ら損なうことなく、且つ、バール挿通用開口の気密性を十分確保することができる。
【００２０】
また、第２の発明（請求項２記載の発明）では、前記一方及び他方の閉塞用弾性部材並びに前記一方及び他方の上方付勢用弾性部材とは、前記枠部の外側に配設されてなることから、マンホール蓋の移動や施工作業中に、各弾性部材が破損してしまう危険性を有効に解消することができるとともに、第３の発明では、前記一方及び他方の閉塞用弾性部材は、前記左右の支軸が挿通される巻回部が構成要素とされてなり、前記一方及び他方の上方付勢用弾性部材は、前記左右の支持部のそれぞれに形成された凸部が挿通される巻回部が構成要素とされてなることから、より一層各弾性部材を保護することができる。
【図面の簡単な説明】
【図１】本発明の一実施の形態に係るマンホール蓋の平面図である。
【図２】マンホール蓋本体の裏面の構造の要部を示す底面図である。
【図３】マンホール蓋の施錠構造を示す分解斜視図である。
【図４】マンホール蓋本体を構成する一方の支持部の構成を示す側断面図である。
【図５】施錠部材によりバール挿入用開口が閉塞された状態を示す側面図である。
【図６】図５に示す状態から施錠部材が回転した後の状態を示す側面図である。
【図７】従来のマンホール蓋の施錠構造を示す側面図である。
【符号の説明】
１　　マンホール蓋
２　　受枠
２ｄ　　一方の係合部
３　　マンホール蓋本体
３ａ　　開口
３ｂ　　一方のバール挿入用開口
３ｃ　　他方のバール挿入用開口
３ｅ　　内側枠部
３ｆ　　一方の支持部
３ｇ　　他方の支持部
３ｈ　　一方の凹部
３ｉ　　一方の円形状凸部
３ｊ　　一方の左側係止部
３ｋ　　他方の凹部
３ｌ　　他方の円形状凸部
３ｍ　　一方の右側係止部
４　　小径マンホール蓋
５　　閉塞蓋
７　　施錠部材本体
７ｃ　　左支軸
７ｄ　　右支軸
７ｇ　　他方の左側係止部
７ｈ　　他方の右側係止部
８　　施錠部材
１０　　一方の閉塞用弾性部材
１０ａ　　巻回部
１１　　他方の閉塞用弾性部材
１１ａ　　巻回部
１２　　一方の上方付勢用弾性部材
１２ａ　　巻回部
１３　　他方の上方付勢用弾性部材
１３ａ　　巻回部
【図１】
2004011247.tif 000003
【図２】
2004011247.tif 000004
【図３】
2004011247.tif 000005
【図４】
2004011247.tif 000006
【図５】
2004011247.tif 000007
【図６】
2004011247.tif 000008
【図７】
2004011247.tif 000009